(57)【要約】【課題】更にユーザが選択できる機能を増やすことが出来る。【解決手段】原稿についての原稿データと、Ｎ個（Ｎは２以上の整数）のエリアデータと、当該Ｎ個のエリアデータが示すエリアそれぞれが属するＳ個（２≦Ｎ＜Ｓを満たす整数）のグループそれぞれを識別する識別情報を示す識別データと、を取得する取得手段と、前記Ｓ個のグループそれぞれに対して、前記Ｎ個のエリアデータが示すエリア内の前記原稿データに実行されるコマンドが設定される設定手段と、前記設定手段により設定されたコマンドを、前記Ｓ個のグループ毎に、前記Ｓ個のグループそれぞれに属するエリアデータが示すエリア内の前記原稿または当該原稿についての原稿データに対して実行する実行手段と、前記実行手段により、コマンドが実行された前記原稿データを出力する出力手段と、を有する。【選択図】図４
2013038575.tif 000002
【特許請求の範囲】
【請求項１】
原稿についての原稿データと、Ｎ個（Ｎは２以上の整数）のエリアデータと、当該Ｎ個のエリアデータが示すエリアそれぞれが属するＳ個（２≦Ｎ＜Ｓを満たす整数）のグループそれぞれを識別する識別情報を示す識別データと、を取得する取得手段と、
前記Ｓ個のグループそれぞれに対して、前記Ｎ個のエリアデータが示すエリア内の前記原稿データに対して実行されるコマンドが設定される設定手段と、
前記設定手段により設定されたコマンドを、前記Ｓ個のグループ毎に、前記Ｓ個のグループそれぞれに属するエリアデータが示すエリア内の前記原稿、または、当該原稿についての原稿データ、に対して実行する実行手段と、
前記実行手段により、コマンドが実行された前記原稿データを出力する出力手段と、を有することを特徴とする情報処理装置。
【請求項２】
原稿についての原稿データと、エリアデータと、当該エリアデータについてのコマンドデータと、を取得する取得手段と、
前記エリアデータが示すエリア内の前記原稿、または、当該原稿についての原稿データ、に対して、当該エリアデータについてのコマンドデータが示すコマンドを実行する実行手段と、
前記実行手段により、コマンドが実行された前記原稿データを出力する出力手段と、を有することを特徴とする情報処理装置。
【請求項３】
前記エリアデータはＮ個（Ｎは２以上の整数）あり、
前記取得手段は、前記Ｎ個のエリアデータが示すエリアそれぞれがＳ個（２≦Ｎ＜Ｓを満たす整数）のグループそれぞれを識別する識別情報を示す識別データも取得し、
前記Ｓ個のグループそれぞれに対して、前記Ｎ個のエリアデータが示すエリア内の前記原稿データに実行されるコマンドが設定される設定手段を有し、
前記実行手段は、前記設定手段により設定されたコマンドも、前記Ｓ個のグループ毎に、前記Ｓ個のグループそれぞれに属するエリアデータが示すエリア内の前記原稿データに対して実行することを特徴とする請求項２記載の情報処理装置。
【請求項４】
前記識別情報は、前記エリアの色を含むことを特徴とする請求項１または３記載の情報処理装置。
【請求項５】
前記コマンドは、前記エリアの色を含むことを特徴とする請求項２〜４何れか１項に記載の情報処理装置。
【請求項６】
前記コマンドは、前記出力手段による、前記原稿データの出力の仕様を変更するコマンドを含むことを特徴とする請求項１〜５何れか１項記載の情報処理装置。
【請求項７】
前記コマンドは、前記エリアデータが示すエリア内の前記原稿データの属性を変更するコマンドを含むことを特徴とする請求項１〜６何れか１項記載の情報処理装置。
【請求項８】
前記コマンドは、前記エリアデータが示すエリア内の原稿データに対して予め記憶されている画像データを付加するコマンドを含むことを特徴とする請求項１〜７何れか１項記載の情報処理装置。
【請求項９】
前記コマンドは、前記エリアデータが示すエリア内の原稿データを、当該コマンドに含まれている、外部装置を識別するための識別情報に基づいて送信するコマンドを含むことを特徴とする請求項１〜８何れか１項に記載の情報処理装置。
【請求項１０】
請求項１〜９何れか１項記載の情報処理装置を含み、
前記出力手段は、
前記複数のエリアデータが示すエリア内の前記原稿データを電子的に出力すること、および、前記複数のエリアデータが示すエリア内の前記原稿データに基づいて記録媒体に画像形成して出力すること、のうち少なくとも１つを行なうことを特徴とする画像形成装置。
【発明の詳細な説明】
【技術分野】
【０００１】
本発明は、情報処理装置、画像形成装置に関する。
【背景技術】
【０００２】
例えば、特許文献１では、コマンドシートを用いて、孔版印刷を行なう技術が開示されている。この技術では、原稿と、エリア（囲み線）が示されたコマンドシートと、を読み取らせる。そして、原稿のエリア内の画像と、原稿のエリア外の画像と、を分けて印刷させる。例えば、エリア内の画像を赤色に印刷させ、エリア外の画像を黒色に印刷させたり、エリア内の画像と、エリア外の画像とを、別々の用紙に印刷させたりする。
【発明の概要】
【発明が解決しようとする課題】
【０００３】
特許文献１記載の技術では、上述のように、エリア内の画像を赤色に印刷させ、エリア外の画像を黒色に印刷させたり、エリア内の画像と、エリア外の画像と、を別々の用紙に印刷させたりすることしかユーザは選択できないという問題があった。
【０００４】
本発明によれば、この様な問題を鑑みて、更にユーザが選択できる機能を増やした情報処理装置、画像形成装置を提案する。
【課題を解決するための手段】
【０００５】
上記目的を達成するため、原稿についての原稿データと、Ｎ個（Ｎは２以上の整数）のエリアデータと、当該Ｎ個のエリアデータが示すエリアそれぞれが属するＳ個（２≦Ｎ＜Ｓを満たす整数）のグループそれぞれを識別する識別情報を示す識別データと、を取得する取得手段と、前記Ｓ個のグループそれぞれに対して、前記Ｎ個のエリアデータが示すエリア内の前記原稿データに実行されるコマンドが設定される設定手段と、前記設定手段により設定されたコマンドを、前記Ｓ個のグループ毎に、前記Ｓ個のグループそれぞれに属するエリアデータが示すエリア内の前記原稿または当該原稿についての原稿データに対して実行する実行手段と、前記実行手段により、コマンドが実行された前記原稿データを出力する出力手段と、を有する情報処理装置、画像形成装置を提供する。
【発明の効果】
【０００６】
本発明の情報処理装置、画像形成装置であれば、更にユーザが選択できる機能を増やすことが出来る。
【図面の簡単な説明】
【０００７】
【図１−１】本実施例の画像形成装置のハードウェア構成の一例を示した図。
【図１−２】画像形成装置が孔版印刷装置である場合の機能構成例を示した図。
【図１−３】操作手段の一例を示した図。
【図２】本実施例の情報処理装置の機能構成例を示した図。
【図３】本実施例の画像形成装置の一例を示した図。
【図４】本実施例の原稿の一例を示した図。
【図５】本実施例のコマンドシートの一例を示した図。
【図６】本実施例の印刷結果物の一例を示した図。
【図７】本実施例の印刷結果物の一例を示した図。
【図８】本実施例の設定画面の一例を示した図。
【図９】本実施例の別の設定画面の一例を示した図。
【図１０】本実施例の別の設定画面の一例を示した図。
【図１１】本実施例の別の設定画面の一例を示した図。
【図１２】本実施例の別の設定画面の一例を示した図。
【図１３】本実施例の対応テーブルの一例を示した図。
【図１４】別の実施形態のコマンドシートの一例を示した図。
【図１５】別の実施形態の対応テーブルの一例を示した図。
【図１６】別の実施形態のコマンドシートの一例を示した図。
【図１７】別の実施形態の対応テーブルの一例を示した図。
【図１８】別の実施形態の処理フローを示した図。
【図１９】別の実施形態の原稿の一例を示した図。
【図２０】別の実施形態のコマンドシートの一例を示した図。
【図２１】別の実施形態の印刷結果物の一例を示した図。
【図２２】別の実施形態の印刷結果物の一例を示した図。
【図２３】別の実施形態の対応テーブルの一例を示した図。
【図２４】別の実施形態の処理フローを示した図。
【図２５】別の実施形態の原稿の一例を示した図。
【図２６】別の実施形態のコマンドシートの一例を示した図。
【図２７】別の実施形態の印刷結果物の一例を示した図。
【図２８】別の実施形態の印刷結果物の一例を示した図。
【図２９】別の実施形態のコマンドシートの一例を示した図。
【図３０】別の実施形態の原稿の一例を示した図。
【図３１】別の実施形態のコマンドシートの一例を示した図。
【図３２】別の実施形態の印刷結果物の一例を示した図。
【図３３】別の実施形態の印刷結果物の一例を示した図。
【図３４】別の実施形態の対応テーブルの一例を示した図。
【図３５】別の実施形態のコマンドシートの一例を示した図。
【図３６】別の実施形態の設定画面の一例を示した図。
【図３７】電子ペーパの一例を示した図。
【図３８】別の実施形態の電子ペーパの一例を示した図。
【図３９】別の実施形態の設定画面の一例を示した図。
【図４０】別の実施形態の対応テーブルの一例を示した図。
【図４１】別の実施形態の原稿の一例を示した図。
【図４２】別の実施形態のコマンドシートの一例を示した図。
【図４３】別の実施形態の処理フローを示した図。
【図４４】別の実施形態の情報処理装置の機能構成例を示した図。
【図４５】別の実施形態の設定画面の一例を示した図。
【図４６】別の実施形態の設定画面の一例を示した図。
【図４７】別の実施形態の設定画面の一例を示した図。
【図４８】本実施例の搬送体の例を示した図。
【図４９】画像形成システムの機能構成例を示した図。
【発明を実施するための形態】
【０００８】
［実施形態１］
まず、用語の説明を行なう。画像形成装置とは例えば、プリンタ、ファクシミリ、複写装置、プロッタ、これらの複合機などである。また、記録媒体は、例えば、紙、糸、繊維、皮革、金属、プラスチック、ガラス、木材、セラミックスなどの媒体である。画像形成とは、文字や図形、パターンなどの画像を記録媒体に付与すること、液滴（インク）を記録媒体に着弾させることを意味する。以下では、記録媒体を用紙として説明し、画像形成を印刷として説明する。
【０００９】
また、本実施例の画像形成装置は、デジタル孔版印刷装置や、インクジェット記録装置や、電子写真記録装置、複合機など、用紙に印刷することができる装置であれば如何なる装置に適用することが出来る。
【００１０】
また、以下の各実施形態において、同じ手段、同じ処理については同一の参照番号、ステップ番号を付加して、重複説明を省略する。
［画像形成装置のハードウェア構成］
図１ー１に画像形成装置のハードウェア構成を示す。図１ー１に示すようには、本実施例の画像形成装置１０は、情報処理装置１１、主記憶手段１２、補助記憶手段１３、外部記憶装置Ｉ／Ｆ手段１４、ネットワークＩ／Ｆ手段１６、操作手段１７、表示手段１８、エンジン手段１９を含む。
【００１１】
情報処理装置１１は、コンピュータの中で、各装置の制御やデータの演算、加工を行うものであり、制御部（ＣＰＵ）としての役割を果たす。また、情報処理装置１１は、主記憶手段１２に記憶されたプログラムを実行する演算装置であり、外部からデータを受け取り、演算、加工した上で、当該データを出力する。
【００１２】
主記憶手段１２は、ＲＯＭ（Read Only Memory）やＲＡＭ（Random Access Memory）などであり、情報処理装置１１が実行する基本ソフトウェアであるＯＳやアプリケーションソフトウェアなどのプログラムやデータを記憶又は一時保存する記憶装置である。
【００１３】
補助記憶手段１３は、ＨＤＤ（Hard Disk Drive）などであり、アプリケーションソフトウェアなどに関連するデータを記憶する記憶装置である。外部記憶装置Ｉ／Ｆ手段１４は、ＵＳＢ（Universal Serial Bus）などのデータ伝送路を介して接続された記録メディア１５（例えば、フラッシュメモリなど）と画像形成装置１０とのインタフェースである。
【００１４】
また、記録メディア１５に、所定のプログラムを格納し、この記録メディア１５に格納されたプログラムは外部記憶装置Ｉ／Ｆ手段１４を介して画像形成装置にインストールされ、インストールされた所定のプログラムは画像形成装置により実行可能となる。
【００１５】
ネットワークＩ／Ｆ手段１６は、有線及び／又は無線回線などのデータ伝送路により構築されたＬＡＮ（Local Area Network）、ＷＡＮ（Wide Area Network）などのネットワークを介して接続された外部装置５５０（例えば、ＰＣ）と画像形成装置１０とのインタフェースである。
【００１６】
操作手段１７や表示手段１８は、キースイッチ（ハードキー）とタッチパネル機能（ＧＵＩのソフトウェアキーを含む：Graphical User Interface）を備えたＬＣＤ（Liquid Crystal Display）とから構成され、画像形成装置１０が有する機能を利用する際のＵＩ（User Interface）として機能する。操作手段１７と表示手段１８をまとめて、設定手段２３とし、ユーザは様々な設定を行なう際には、当該設定手段２３から設定を行なう。
【００１７】
エンジン手段１９は、用紙に印刷を行なう画像形成手段２０や原稿やコマンドシート（後述する）を読み取るスキャナ手段２１や、各モータなどを駆動させる箇所である。画像形成装置１０が孔版印刷装置である場合には、画像形成手段２０とは印刷ドラムや当該印刷ドラムに巻かれたマスタ１１０７（図１−２参照）である。また、画像形成装置１０がインクジェット記録装置である場合には、画像形成手段２０は記録ヘッド（図示せず）である。
【００１８】
図１−２に、本実施例の画像形成装置が、孔版印刷装置１０００である場合の当該基本構成について説明する。孔版印刷装置１０００は、当該孔版印刷装置１０００の内部に、マスタ１１０７が外周面に巻着される印刷ドラム１１０１と、印圧手段となるプレスローラ１１０２と、製版装置となるプロッタ１１０３と、排版手段１１０４とを含む。そして、当該孔版印刷装置１０００の右側に配置された給紙手段１１０５から給紙される用紙１１０６をプレスローラ１１０２で印刷ドラム１１０１に押し当てることで、巻着されたマスタ１１０７の画像を用紙１１０６に転写する。
【００１９】
片面印刷の場合、搬送手段１１０８は、画像転写された用紙１１０６を孔版印刷装置１０００本体の左側に配置された排紙手段１１０９へと搬送し、排紙させる。また、両面印刷の場合、搬送手段１１０８は、片面の印刷が終了した用紙を、切替え部材１１２１により再給紙手段１１２２に搬送し、再び給紙させることにより裏面に印刷を行う。さらに、当該孔版印刷装置１０００の用紙搬送経路中には、マルチカラー印刷用や、フルカラー印刷用や、バリアブル印刷用のインクジェットユニット１１５０が配置されている。
【００２０】
また、孔版印刷装置１０００の上部には、スキャナ手段２１（図１−１参照）が配置されており、スキャナ手段２１は、原稿画像を読み取り、製版に用いる画像データを取得している。また、孔版印刷装置１０００本体の上部正面には、孔版印刷装置１０００の各種操作を行うための操作手段１７（操作パネル）が配設されている。
図１−３に、操作手段１７の詳細例を示す。図１−３の例では、操作手段１７には、印刷や製版の切り替えボタン１１１３、スタートボタン１１１４、表示手段１８、初期設定／プリンタ設定ボタン１１１６、印刷位置調整ボタン１１１７、プリントスピード設定ボタン１１１８などが配備されている。上述のように、表示手段１８は、ＬＣＤのタッチパネルで構成されていて、その画面には、各種案内情報や各種操作画面が適宜表示される。そして、操作画面がユーザによって操作されると、各画面に表示されたスイッチに対応した内容が情報処理装置１１や孔版印刷装置１０００に設定される。
［具体的な処理］
次に、本実施形態の情報処理装置１１の具体的な処理について説明する。図２に、本実施形態の情報処理装置１１の機能構成例を示し、図３に、本実施例の情報処理装置１１の処理フローを示す。また、ユーザは、例えば、本実施例の画像形成装置１１の自動紙送り装置（ＡＤＦ）に、印刷対象の原稿と、コマンドシートとをセットする。
【００２１】
図４に原稿１００の一例を示し、図５にコマンドシート１２０の一例を示す。また、ユーザは、原稿１００と、コマンドシート１２０とから、本実施形態の画像形成装置１０を用いて、図６に示す印刷結果物１４０と印刷結果物１６０の出力を所望しているとする。ここで、原稿１００とコマンドシート１２０のサイズは同じであることが好ましい。この例では、共に、Ａ４であるとする。
【００２２】
また、コマンドシート１２０には、Ｎ個のエリア（Ｎは２以上の整数）と、識別コードが記述されている。図５の例では、Ｎ＝２となる。図５の例では、エリア１２２、エリア１２４はそれぞれ囲い線で構成されている。
【００２３】
ここで、識別コードとは、Ｎ個のエリアをＳ個のグループに分けるための画像である。また、ＳはＮ以上の整数であるとする。図５の例では、２個の識別コードが記述されており、「Ｍ」という識別コード１２２２と、「ＯＰ」という識別コード１２４２である。ここでは、識別コードＭは加工機能グループ（後述する）であることを識別するための識別コードであるとする。また、識別コードＯＰは、Ｏｕｔｐｕｔである出力機能グループ（後述する）であることを識別するための識別コードである。以下の説明では、エリア１２２を「加工機能エリア１２２」とし、エリア１２４を「出力機能エリア１２４」とする。
【００２４】
そして、ユーザは、原稿１００とコマンドシート１２０をセットすると、表示手段１８に表示されたスタートボタン１１１４（図１−３参照）を押下する。
【００２５】
判定手段１１２が、ユーザによりスタートボタンが押下されたか否かを判断する（ステップＳ２）。判定手段１１２が、スタートボタンが押下されたと判断すると（ステップＳ２のＹｅｓ）、ステップＳ４に移行する。また、判断手段１１２がスタートボタンが押下されたと判断するまで待機する（ステップＳ２のＮｏ）。
【００２６】
そして、スキャナ手段２１（図１ー１参照）は、光学的に、原稿１００とコマンドシートを読み取ることで、原稿データとコマンドシートデータとを生成する（ステップＳ４）。原稿データとは、例えば、図４に示す原稿１００についての電子的なデータである。また、コマンドシートデータとは、図５に示すコマンドシート１２０についての電子的なデータである。
【００２７】
そして、読取手段１１４は、コマンドシートデータから、エリアデータと識別データを読取る。読取手段１１４は、例えば、ＯＣＲ（Ｏｐｔｉｃａｌ  Ｃｈａｒａｃｔｅｒ  ＲｅｃｏｇｎｉｔｉｏＮ）であるとする。従って、読取手段１１４は、識別コード「Ｍ」と識別コード「ＯＰ」とをテキストデータ化することが出来、識別コード「Ｍ」についての識別データと識別コード「ＯＰ」についての識別データとを取得することが出来る。また、読取手段１１４とスキャナ手段２１とを一体化してもよい。
【００２８】
また、エリアデータとは具体的には、囲い線で囲まれているエリア内の全ての点の座標データの集合である。
【００２９】
そして、取得手段１１６は、原稿データと、エリアデータと、識別データとを取得する（ステップＳ６）。次に、判定手段１１２が、ユーザにより加工機能が設定されたか否かの判定（ステップＳ１０）、および、出力機能が設定されたか否かの判定（ステップＳ１４）が行なわれる。
【００３０】
ここで、ユーザによる加工機能の設定、および、ユーザによる出力機能の設定について説明する。ユーザによる加工機能の設定、および、ユーザによる出力機能の設定は、ステップＳ１のスタートキーが押下される前に行なわれる。
【００３１】
加工機能とは、原稿の画像の属性を変更する機能をいい、「メーキャップ機能」とも呼ばれる。ここで画像の属性とは、色やサイズなどであり、画像が文字である場合には、「フォント」なども含まれる。そして、「画像の属性の変更」とは、例えば、画像が文字である場合には、単一色で記述された文字を中抜き文字にしたり、文字の色を変更したり、単一色の文字をパターン文字に変更したりすることである。また、画像がカラー写真である場合には、例えばカラー写真からモノクロ写真に変更することである。
【００３２】
また、出力機能とは、後述する出力手段１２０から原稿データが出力されるのであるが、当該出力の設定の仕様を変更する機能である。例えば、出力の設定の仕様の変更とは、原稿データの出力先（例えば、用紙や後述する電子ペーパなど）の変更などである。
【００３３】
そして、取得手段１１６が取得した加工機能エリア１２２内の座標の集合、出力機能エリア１２４内の座標の集合を、原稿に照らし合わせて、実行手段１１８は、加工機能エリア１２２内の原稿１００の画像１０２（以下、「加工機能対象画像１０２」という。）と、出力機能エリア１２４内の原稿１００の画像１０４（以下、「出力機能対象画像１０４」という。）を認識する。換言すれば、実行手段１１８は、加工機能エリア１２２や、出力機能エリア１２４を原稿に対して指定して、加工機能エリア１２２内の画像や、出力機能エリア１２４内の画像を認識する。
【００３４】
また、加工機能対象画像１０２が存在する場合には、読取手段１１４は、加工機能対象画像１０２を、ＯＣＲなどにより、テキストデータ化する。そして、取得手段１１６は、加工機能対象画像１０２のテキストデータを取得する。
【００３５】
図４の原稿１００の例では、加工機能対象画像１０２はテキスト「新製品構想案」であり、出力機能対象画像１０４は、「キーとなるテクノロジー  ＳＩＰ・・・」の画像である。
【００３６】
そして、ユーザにより、設定手段２３により、加工機能の設定、出力機能の設定が行なわれ、実行手段１１８は、加工機能対象画像１０２の画像データに対して、設定された加工機能を実行させる。また、実行手段１１８は、出力機能対象画像１０４に対して、設定された出力機能を実行させる。
【００３７】
図８に、表示手段１８に表示される設定画面の一例を示す。図８では、加工機能が実行された原稿１００を印刷する部数や原稿１００を印刷させる用紙のサイズを選択することが出来る。また、図８の例では、編集ボタン１８２などが電子的に表示される。その他のボタンについては、説明を省略する。ユーザは、出力機能や加工機能を設定する際には、編集ボタン１８２を押下する。そうすると、図９に示す設定画面に遷移する。図９の設定画面では、加工機能ボタン１８３や出力機能ボタン１８４などが電子的に表示される。なお、図８などの設定画面において、ユーザが選択・押下下ボタンについては、ハッチングを付加する。
【００３８】
まず、加工機能の設定について説明する。ユーザが加工機能を利用する場合には、ユーザは加工機能ボタン１８３を押下する。そうすると、図１０の加工機能設定画面に遷移する。
【００３９】
図１０の加工機能設定画面では、エリア指定方法を設定できる箇所１８５や、マーカ指定方法を設定できる箇所１８６や、加工機能エリア１２２内の原稿をどのように変更するかを設定できる箇所１８７（以下、「エリア内設定箇所１８７」という。）や、加工機能エリア１２２外の原稿をどのように変更するかを設定できる箇所１８８（以下、「エリア内設定箇所１８８」という。）がある。
【００４０】
ユーザは自分がセットしたコマンドシート１２０を見て、エリア１２２やエリア１２４が囲み線で構成されていることから、囲み線ボタン１８９を押下する。また、エリア１２２、１２４が対角線で構成されている場合には、ユーザは対角線ボタン１９１を押下する。
【００４１】
また、マーカ指定方法１８６の「マーカ」とは、コマンドシート内のエリア１２２、１２４の記述手法を示す。例えば、エリアがモノクロマーカで記述されているか、カラーマーカで記述されているかを示すものである。図５の例のコマンドシート１２０のエリア１２２、１２４は、モノクロマーカで記述されていることから、ユーザは、モノクロマーカボタン１９０を押下する。また、コマンドシート１２０のエリアがカラーマーカで記述されている場合には、ユーザは、カラーマーカボタン１９２を押下する。
【００４２】
次に、ユーザは、エリア内設定箇所１８７において、加工機能エリア１２２内の加工機能対象画像１０２に対して、実行される加工が選択される。ユーザが、加工機能対象画像１０２である「新製品構想案」の文字に対して中抜き加工を所望しているのであれば、図１０記載のように、中抜き加工ボタン１９３を押下する。また、ユーザは加工機能エリア１２２外の原稿の画像の加工についても選択することが出来る。図１０の例では、加工機能エリア１２２外の原稿の画像については加工を選択していない。
【００４３】
そして、全ての設定が終了すると、ユーザはＯＫボタン１９４を押下して終了となる。また、ユーザは選択しなおす場合には、解除ボタン１９５を押下する。
【００４４】
次に、出力機能設定について説明する。ユーザが出力機能を設定する場合には、図９に示す出力機能ボタン１８４ボタンを押下する。そうすると、図１１に示す出力機能設定画面に遷移する。
【００４５】
図１１の出力機能設定画面では、エリア指定方法を設定できる箇所２０１や、マーカ指定方法を設定できる箇所２０２や、モード指定を設定できる箇所２０３や、原稿データの出力先を設定できる箇所２０４がある。
【００４６】
エリア指定方法を設定できる箇所２０１や、マーカ指定方法を設定できる箇所２０２については、図１０の加工出力機能設定画面内の、エリア指定方法を設定できる箇所１８５や、マーカ指定方法を設定できる箇所１８６と同様なので説明を省略する。
【００４７】
ユーザは、モード指定を設定できる箇所２０３では、出力機能対象画像１０４の出力モードを設定することが出来る。図１１の例では、ユーザが、出力機能対象画像１０４を所定部数分コピーしたい場合には、ユーザは複写（コピー）ボタン２０５を押下する。また、ユーザが、出力機能対象画像１０４をカットしたい場合には、切取り（カット）ボタン２０６を押下する。
【００４８】
また、ユーザは、出力先を設定できる箇所２０４では、出力機能対象画像１０４の出力先を設定することが出来る。図１１の例では、ユーザは、出力機能対象画像１０４を用紙に印刷させて出力するのか、出力機能対象画像１０４を電子ペーパに表示させるように出力するのか、を選択することが出来る。ここで、電子ペーパとは、例えば、Ａ２サイズの出力機能対象画面１０４を表示可能なスクリーンである。電子ペーパについては、実施形態８で詳細を説明する。ユーザは、出力機能対象画面１０４を用紙に印刷させて出力することを選択した場合には、印刷用紙ボタン２０７を押下する。また、ユーザは、出力機能対象画面１０４を電子ペーパに出力することを選択した場合には、電子ペーパボタン２０８を押下する。
【００４９】
更に、ユーザは出力機能対象画面１０４について、詳細設定を行なうことができる。ユーザは出力機能対象画面１０４について、詳細設定を行なう場合には、詳細設定２０９ボタンを押下する。そうすると、図１２に示す詳細設定画面に遷移する。図１２に示す出力機能の詳細設定画面では、印刷される用紙のサイズを設定できる箇所２１９、出力機能対象画像１０４が印刷された用紙の方向を設定する箇所２１０、出力機能対象画像１０４の回転方向を設定する箇所２１１、出力機能対象画像１０４の印刷枚数を設定する箇所２１２、出力機能対象画像１０４の変倍を設定する箇所２１３がある。
【００５０】
このように、以下の説明では、加工機能エリア１２２内（または外）の原稿や出力機能エリア１２４内（または外）の原稿に対し、加工機能や出力機能を実行させることを「コマンド」という。つまり、ユーザは、設定手段３２からは、「コマンド」を設定することになる。
【００５１】
ユーザは、これらの設定を自由に行なうことができる。図１２の例では、ユーザは、用紙サイズをＡ４に設定していることから、Ａ４ボタン２１８を押下している。また、ユーザは、用紙方向を自動に設定していることから、自動ボタン２１４を押下している。また、画像回転方向を自動に設定していることから、自動ボタン２１５を押下している。また、ユーザは印刷枚数を「３」枚に設定していることから、カウンタ２１６を「３」に設定している。また、ユーザは変倍を用紙指定に設定していることから、用紙指定ボタン２１７を押下している。
【００５２】
説明を図３に戻す。判定手段１１２は、加工機能が設定されたか否かを判定する（ステップＳ１０）。判定手段１１２は、加工機能が設定されたと判定すると（ステップＳ１０のＹｅｓ）、実行手段１１８は、加工機能エリア１２２内の原稿データに対して、設定されたコマンドを実行する（ステップＳ１２）。図１０の例では、加工機能については、加工機能対象画像１０２（つまり、テキストデータ「新製品構想案」）に対して、中抜き処理を行なうというコマンドが設定されている。従って、実行手段１１８は、原稿データ内の「テキストデータ「新製品構想案」」に対して、中抜き処理を実行する。また、判定手段１１２が、加工機能の設定がされていないと判断すると（ステップＳ１０のＮｏ）、ステップＳ１８に移行する。
【００５３】
また、判定手段１１２は、出力機能が設定されたか否かを判定する（ステップＳ１４）。判定手段１１２は、出力機能が設定されたと判定すると（ステップＳ１４のＹｅｓ）、実行手段１１８は、出力機能エリア１２２内の原稿データに対して、設定されたコマンドを実行する（ステップＳ１６）。図１１、図１２の例では、出力機能については、出力機能対象画像１０４（つまり、「キーとなるテクノロジーや画像」）に対して、Ａ４用紙に３枚複写するという出力機能が設定されている（図１２参照）。従って、実行手段１１８は、出力機能対象画像１０４を３枚のＡ４用紙に印刷して出力する処理を実行する。また、判定手段１１２が、出力機能の設定がされていないと判断すると（ステップＳ１４のＮｏ）、ステップＳ１８に移行する。
【００５４】
また、主記憶部１２に、図１３に示すように、識別コードと、機能とを対応付けた対応テーブルを格納させている。そして、実行手段１１８は、当該対応テーブルを参照しながら、加工機能、出力機能を実行する（図３のステップＳ１２、Ｓ１６）。
【００５５】
このように、実行手段１１８は、出力機能について設定されたコマンドを、原稿に対して実行する。また、出力機能について設定されたコマンドは、原稿データに対して実行されるものであってもよい。また、実行手段１１８は、加工機能について設定されたコマンドを原稿データに対して実行する。
【００５６】
次に、表示制御手段１２２は、ユーザに確認させるべく、加工機能や出力機能が実行された原稿データ（つまり、最終印刷物の画像イメージ）を表示部２３に表示させる（ステップＳ１８）。表示部１８は、例えば、電子ペーパなどとすればよい。
【００５７】
そして、ユーザは、表示部１８に表示された原稿データを確認して、このまま印刷出力してよい、と判断すれば、表示部１８などに表示されるＯＫボタン（図示せず）を押下する。判定手段１１２が、ＯＫボタンが押下されたか否かを判定し（ステップＳ２０）、ＯＫボタンが押下されたと判定されれば（ステップＳ２０のＹｅｓ）、出力手段１２０は、表示部２３に表示された原稿データで印刷して出力する。印刷結果物は、図６および図７に示すものとなる。
【００５８】
また、ユーザによりステップＳ２０でＯＫボタンが押下されず、例えば、ＮＧボタンが押下された場合には（ステップＳ２０のＮｏ）、エラー処理が行なわれる（ステップＳ２４）。エラー処理とは、例えば、ユーザに対して、再度、ステップＳ２の処理から行なわせることをいう。また、ステップＳ１８、ステップＳ２０、ステップＳ２４の処理は省略しても良い。
【００５９】
この実施形態１によれば、図５に示すコマンドシート１２０には、Ｎ個（本実施形態１では２個）のエリアが記述されている。Ｎ個のエリアそれぞれは、Ｓ個のグループ（本実施形態１では、加工機能グループと出力機能グループ）の何れかに分けられる。そして、それぞれのエリアには、分けられるグループの識別コードが付加されている。図５の例では、エリア１２２には、識別コード「Ｍ」が付加されており、エリア１２４には識別コード「ＯＰ」が付加されている。そして、ユーザは、Ｓ個のグループそれぞれに対してコマンドを設定することが出来、グループに対して設定されたコマンドは、当該グループに属するエリア内の原稿データに対して実行される。
【００６０】
従って、ユーザは複数のグループに対して、コマンドを設定、実行させることが出来、ユーザが選択できる機能を増やすことが出来る。
【００６１】
この実施形態１の画像形成装置によれば、例えば、会議資料やプレゼンテーション資料の作成時などに活用することができる。例えば、原稿の印刷は、会議出席者への配布用に行う。そして、重要部分（出力機能対象画像１０４）については、エリア（出力機能エリア１２４）で指定し、当該指定した原稿の画像を印刷出力、または、電子ペーパ表示する。そして、会議中、当該重要部分を常時、掲示や表示させておくことにより、会議出席者への印象付けや関心付けに効果的に用いることができる。
【００６２】
次に、実施形態１の変形例などを説明する。上記の説明では、識別コードを「Ｍ」と「ＯＰ」としたが、他の識別コードを用いてもよい。また、上記の説明では、用いる機能を加工機能と出力機能としたが、他の機能を用いるようにしてもよい。
【００６３】
また、加工機能グループ、または／および、出力機能グループを２以上としてもよい。この場合には、ユーザは、２以上の加工機能グループ、または／および、２以上の出力機能グループに対して、設定することが出来る。
【００６４】
また、本実施例の画像形成装置は、ハイブリッド孔版印刷装置としてもよい。この場合には、ハイブリッド孔版印刷装置を構成するインクジェットユニットは、主走査方向長の印刷を１つのインクジェットヘッドでカバーでき、ヘッドが固定されたいわゆるフルライン型ヘッドでもよい。また、インクジェットヘッド長が主走査方向長よりも短く、当該ヘッドを主走査方向に走査することにより、主走査方向長の画像形成を行ういわゆるシャトル型ヘッドであってもよい。
【００６５】
また、本実施例の画像形成装置は、両面印刷であっても、片面印刷であってもよい。両面印刷の場合には、両面印刷された原稿および両面印刷されたコマンドシートを用いることができる。
【００６６】
また、本実施例の画像形成装置が孔版印刷装置である場合の、図６、図７の印刷用紙を出力する際のステップＳ２２の出力手段１２０による出力処理について説明する。この場合には、まず、出力手段１２０は、原稿の分（図６記載）のマスタ製版を行なう。そして、孔版印刷を行い、指定枚数分（この例では３枚）印刷する。なお、ここで、印刷される用紙については、加工機能は実行された画像（この例では、中抜き処理された画像）も含まれる。次に、出力機能対象画像１０４について、印刷出力が行なわれる。
【００６７】
また、孔版印刷方式、および、インクジェット方式を採用している画像形成装置を用いても良い。このような画像形成装置において、印刷枚数により、画像形成方式を孔版印刷方式かインクジェット方式にするかを切り替えて画像形成を行うようしてもよい。例えば、印刷枚数が１枚である場合には、画像形成コストの面から、インクジェット方式を採用して印刷出力するようにしてもよい。
［実施形態２］
次に、実施形態２の画像形成装置について説明する。実施形態１については、Ｎ個のエリア全てについて識別コードを付加すると説明した。この実施形態２では、識別コードを付加する必要のない実施形態を説明する。
【００６８】
図１４に、実施形態２のコマンドシート１２０'の一例について示す。図１４に示すコマンドシート１２０'は、図５のコマンドシートと比較して、加工機能エリア１２２が加工機能エリア１２２'に代替されており、識別コード１２２２「Ｍ」が削除されている。また、加工機能エリア１２２のマーカ色は「黒色」であるのに対し、加工機能エリア１２２'のマーカ色は「赤色」である。
【００６９】
このように、加工機能エリア１２２が、他のエリア（図１４の例では、出力機能エリア１２４）と異なるマーカ色にすることで、実行手段１１８などは、加工機能エリア１２２と出力機能エリア１２４とを識別することが出来る。この場合には、主記憶手段１２には、図１５に示すような対応テーブルを格納させておく。図１５の例では、エリアのマーカ色が赤色の場合には当該エリアは加工機能であることを示し、エリアのマーカ色が黒色の場合には当該エリアは出力機能であることを示す。そして、実行手段１１８は、図１５記載の対応テーブルを参照しながら、加工機能および出力機能を実行する。
【００７０】
また、加工機能エリア１２２'のように、マーカ色が有色である場合には、図１０記載の加工機能についてのマーカ指定方法箇所１８６では、ユーザは、カラーマーカ１９２を押下する必要がある。また、図１１記載の出力機能についてのマーカ指定方法２０２では、ユーザはモノクロマーカ１９０を押下する。また、カラーマーカのコマンドシートを読み取る場合には、スキャナ手段２１は、カラー画像を読み取れることが必要である。
【００７１】
また、出力機能エリアが有色であり、加工機能エリアがモノクロである場合には、ユーザは、加工機能についてのマーカ指定方法箇所１８６では、モノクロマーカ１９０を押下し、出力機能についてのマーカ指定方法箇所２０２ではカラーマーカ１９２を押下する。
【００７２】
また、スキャナ手段２１や読取手段１１４が、マーカ色の判別ができない場合があるため、保険的に、加工機能エリア１２２'に識別コード「Ｍ」を付加するようにしても良い。
【００７３】
図１６に実施形態２の他の実施形態のコマンドシート１２０''の一例を示す。図１６のコマンドシート１２０''は、図５記載のコマンドシート１２０と比較して、識別コード１２２２が削除されている点で異なる。また、コマンドシート１２０''の加工機能エリア１２２とは、マーカ色は同色（黒色）である。
【００７４】
図１６に示すように、エリアが２種類である場合には、１種類のエリア（出力機能エリア１２４）については識別コード１２４２を付加し、もう１種類のエリア（加工機能エリア１２２）については、識別コードを付加していないことから、実行手段１１８は、出力機能エリア１２４と加工機能エリア１２２とを識別することが出来る。この場合の主記憶手段１２に格納させておく対応テーブルは図１７に示すものとなる。
【００７５】
つまり、Ｓ個のグループのうち、１個のグループのみ識別コードを削除することが出来、Ｓ−１個のグループには識別コードを付加することで実行手段１１８は全てのグループを識別することが出来る。このようにすることで、実行手段１１８などは、識別コードが付加されていないグループと、識別コードが付加されているＳ−１個のグループとを、識別することが出来る。
【００７６】
つまり、本実施例のコマンドシートにおいて、識別コードを削除することが出来、例えば、エリアの色で識別したり、識別コードを削除することで識別することが出来る。そして、本実施例では、識別コードを付加して他のグループと識別すること、エリアの色を他のグループに属するエリアの色を変えて他のグループと識別すること、識別コードを削除することで識別コードが付加されている他のグループと識別すること、などを含めて「識別情報」という。つまり、図１３、１５、１７記載の対応テーブルは、識別情報と機能とを対応付けた情報である。
【００７７】
この実施形態２の画像形成装置によれば、コマンドシートから識別コードを削除することが出来、コマンドシート作成段階で、識別コード付加処理コストを低減することができる。
［実施形態３］
次に実施形態３の画像形成装置について説明する。実施形態１では、エリアに識別情報が付加されており、設定手段２３でコマンドを設定する実施形態について説明したが、実施形態３では、エリアにコマンドが付加されている実施形態を説明する。ここで、コマンドとは、画像形成装置が行なう処理の内容について示されているものである。
【００７８】
実施形態３の画像形成装置の情報処理装置１１の機能構成例は図２で示したものと同一である。また、図１８に実施形態３の画像形成装置の処理フローを示す。また、図１９に原稿３００の一例を示し、図２０にコマンドシート３２０の一例を示し、図２１、図２２にそれぞれ、ユーザが所望する出力結果物の一例を示す。
【００７９】
図２０例では、コマンドシート３２０には、３つのエリア３２２、３２４、３２６がある。３つのエリア３２２、３２４、３２６には、それぞれ識別コードＯＰが付加されており、上述のように、識別コードＯＰは出力機能エリアであることを示す。
【００８０】
また、エリア３２４には、コマンド「ｄｅｓｔ：ｐａｐｅｒ」が付加されており、このコマンドは、出力先が用紙であることを示す。また、エリア３２４には、コマンド「ｃｏｕｎｔ：４０」が付加されており、このコマンドは、４０枚印刷することを示す。また、エリア３２６には、コマンド「ｓｉｚｅ：Ａ４」が付加されており、このコマンドは、印刷用紙のサイズがＡ４であることを示す。また、全てのエリア３２２、３２４、３２６には、コマンド「ｉｄ：ＵＮＡＳＦ９４」が付加されており、このコマンドが付加されているエリア内の原稿については、１枚の印刷用紙に寄せ集めて印刷させることを示す。以下、実施形態３の画像形成装置の処理内容について示す。
【００８１】
ステップＳ４において、スキャナ手段２１が、原稿３００とコマンドシート３２０を読み込み、原稿データと、コマンドシートについてのデータであるコマンドシートデータを取得する。そして、読取手段１１４が、ＯＣＲなどにより、コマンドシートデータから、コマンドシートに記載されているコマンドをテキストデータに変換する。そして、取得手段１１６は、テキストデータに変換された「コマンドデータ「ｄｅｓｔ：ｐａｐｅｒ」、コマンドデータ「ｓｉｚｅ：Ａ４」、コマンドデータ「ｉｄ：ＵＮＡＳＦ９４」」を取得する（ステップＳ３４）。
【００８２】
そして、実行手段１１８は、エリア内の原稿または原稿データに対して、当該エリアデータについてのコマンドデータが示すコマンドを実行する（ステップＳ３４）。図１９に示すように、エリア３２２．エリア３２４、エリア３２６内の原稿の画像、つまり、エリア内画像３０２、エリア内画像３０４、エリア内画像３０６に対して、実行手段１１８は、コマンドを実行する。
【００８３】
また、コマンドのテキストデータと、当該コマンドで行なう処理とを対応づけた対応テーブルを予め主記憶手段１２に記憶させておく。図２３の例では、例えば、コマンド「ｄｅｓｔ：ｐａｐｅｒ」に対応する処理とは「出力先を印刷用紙とする」である。
【００８４】
実行手段１１８は、この対応テーブルを参照して、処理を実行する。つまり、実行手段１１８は、ｉｄ：ＵＮＡＳＦであるエリア内画像３０２、３０４、３０６を終結させて、出力先を用紙とし、当該用紙のサイズをＡ４とし、印刷枚数を４０枚とする。
【００８５】
なお、図２１のような、何らの加工なども加えない原稿の出力設定については、図８などの設定画面などから行なえばよい。
【００８６】
そして、ステップＳ１８で、表示制御手段１２２は、表示手段１８に、図２１や図２２の印刷される画像を表示させてユーザに確認させるようにしてもよい。ステップＳ２０以降の処理については、上述したとおりなので説明を省略する。
【００８７】
この実施形態３の画像形成装置のように、コマンドシートにコマンドを付加させる。このようにすることで、ユーザによる設定手段２３から設定する手間を省略させることが出来る。
【００８８】
また、実施形態３によれば、例えば、以下のように、実施することが出来る。図２１の用紙は、ポスタ掲示用や不特定多数への配布用として数１０枚〜数１００枚印刷する。そして、参加者が確定した際には、図２２の用紙をダイジェスト版として、参加者に配布するような場合が考えられる。図１０の例では、ダイジェストとは、エリア内画像３０２、３０４、３０６である。この場合、ダイジェスト版を配布する時点では、印刷枚数は参加者（組）が４０組に限定されるため、印刷枚数は４０枚に指定できる。また、案内書きや申し込み方法の情報（エリア内画像３０２、３０４、３０６以外の画像）は不要であるため、削除することが出来る。
【００８９】
実施形態３の変形例について説明する。実施形態３の画像形成装置では、図２３に示したコマンドのみに限られず、他のコマンドを用いるようにしてもよい。
【００９０】
また、図２０のコマンドシートでは、ｉｄ：は１種類のみであったが、２種類以上にしてもよい。
【００９１】
また、ユーザは、設定手段２３により、寄せ集めた３つのエリア内画像３０２、３０４、３０６のレイアウトを自由に変更できるようにしてよい。また、デフォルトで、縦均等揃え、縦中央揃え、横均等揃え、横中央揃え、のレイアウト処理が自動的に施されるようししてもよい。また、エリアのレイアウトや印刷(表示)位置をパラメータ項目で指定するようにしてもよい。
［実施形態４］
次に、実施形態４の画像形成装置について説明する。実施形態４の画像形成装置では、識別情報（実施形態１、２で説明）と、コマンド（実施形態３）との両方を用いた実施形態を説明する。
【００９２】
実施形態４の画像形成装置の情報処理装置１１は、図２に示すものと同様であり、図２４に処理フローを示す。また、図２５に実施形態４の原稿４００の一例を示し、図２６に実施形態４のコマンドシート４２０の一例を示し、図２７、図２８にユーザが所望する出力される印刷結果物の一例を示す。
【００９３】
図２６に示すコマンドシートについては、エリア４２２には、識別コード（識別情報）「Ｍ」が付加されている。従って、エリア４２２は加工機能エリア４２２である（実施形態１の説明参照）。また、エリア４２４には、識別コード「ＯＰ」が付加されている。従って、エリア４２４は、出力機能エリア４２４である。
【００９４】
更に、出力機能エリア４２４には、コマンド「ｄｅｓｔ；ｐａｐｅｒ」「ｓｉｚｅ：Ａ４」「ｃｏｕｎｔ：ｅｑｕ」が付加されている。実施形態３や図２３で説明したように、コマンド「ｄｅｓｔ；ｐａｐｅｒ」は、出力先を印刷用紙とするコマンドであり、「ｓｉｚｅ：Ａ４」はサイズがＡ４の用紙に印刷させるコマンドであり、「ｃｏｕｎｔ：ｅｑｕ」は、原稿の印刷枚数（つまり、図２７の印刷結果物の印刷枚数）と同数、印刷させるコマンドである。また、原稿の印刷は、加工機能が施された印刷であるとする。
【００９５】
また、ユーザは、加工機能エリア４２２内の画像（加工機能対象画像４０２）に対して、中抜き処理を行なうことを所望したとする（図１０参照）。
【００９６】
そして、ステップＳ４の処理の後に、取得手段１１６は、エリアデータ、識別データ、コマンドデータを取得する（ステップＳ４２）。ここで取得される識別データ、コマンドデータは、図２６で説明したものである。
【００９７】
そして、判定手段１１２が、ステップＳ１０、Ｓ１４で共に、Ｙｅｓと判断する。そして、実行手段１１８が、取得したエリアデータ、識別データ、コマンドデータに基づいて、加工機能や出力機能を実行する（ステップＳ１２、Ｓ１６）。
【００９８】
そして、出力手段１２０が、図２７、図２８に示す印刷結果物を出力する（ステップＳ２２）。
【００９９】
この実施形態４の画像形成装置であれば、識別コード、コマンドの両方を用いて所望の機能を実行することが出来るので、ユーザにとって更に使い勝手が良くなる。
【０１００】
また、デフォルト設定として、印刷用紙のサイズが「Ａ３」であり、印刷枚数が１枚となっているとする。この実施形態４で説明したようなコマンドシート４２０を用いることで、ユーザがデフォルトの設定を確認することなく、ユーザの所望する出力機能、加工機能を実現することが出来る。
［実施形態５］
次に、実施形態５の画像形成装置について説明する。実施形態３では、図２０に示すように、全てのコマンドをテキストデータで示すようにしたが、実施形態５では、コマンドの一部をエリアの色で示すようにしたものである。図２９に実施形態５のコマンドシート３２０'の一例を示す。コマンドシート３２０'と図２０に示すコマンドシート３２０とを比較すると、コマンドシート３２０'のエリア３２２'、３２４'、エリア３２６'は赤色で記述されているが、コマンドシート３２０のエリア３２２、３２４、３２６は黒色で記述されている。また、コマンドシート３２０'では、エリア３２２、３２４、３２６に付加されていた識別コード「ＯＰ」とコマンド「ｉｄ：ＵＮＡＳＦ９４」のテキストデータが省略されている。
【０１０１】
コマンドシート３２０'では、コマンド「ｉｄ：ＵＮＡＳＦ９４」のテキストデータを記述する代わりに、エリアを赤色で記述している。また、主記憶手段１２には予めエリアのマーカ色が「赤色」であるということは、識別コード「ＯＰ」とコマンド「ｉｄ：ＵＮＡＳＦ９４」のテキストデータである旨が記憶されている。
【０１０２】
そして、取得手段１１６が、コマンドデータ、および、エリア３２２'、３２４'、エリア３２６'の座標およびマーカ色（この例では「赤色」）であることを示すエリアデータと、を取得する。そして、実行手段１１８が、取得されたエリアデータやコマンドデータに基づく処理を行なう。
【０１０３】
この実施形態５によれば、コマンドシートに記述されているエリアの色をコマンドの内容とすることが出来るので、コマンドのテキストデータの記述を省略することが出来る。
［実施形態６］
次に実施形態６の画像形成装置について説明する。図３０に本実施形態６の原稿４００の一例を示し、図３１に本実施形態６のコマンドシート４２０'の一例を示し、図３２、図３３に印刷結果物の一例を示す。また、図３０に示す原稿については図２５と同一であり、図３３に示す印刷結果物は図２８に示すものと同一であるとする。また、実施形態６の情報処理装置１１の機能構成例は図２と同様なので、処理フローは、図２４と同一である。
【０１０４】
コマンドシート４２０'は、図２６に示すコマンドシート４２０と比較して、出力機能エリア４２６が付加された点で異なる。出力機能エリア４２６には、識別コードＩＰと、コマンド「ｓｏｕｒｃｅ：ＨＤＤ」「ｆｉｌｅ：ロゴ」が付加されている。ここで、識別コードＩＰは、Ｉｎｐｕｔであり入力機能であることを識別するための識別コードである。また、コマンド「ｓｏｕｒｃｅ：ＨＤＤ」「ｆｉｌｅ：ロゴ」は、ＨＤＤ内のロゴファイルに予め格納されている画像データを出力機能エリア４２６内の原稿データに付加するコマンドである。
【０１０５】
つまり、ステップＳ１６で、実行手段１１８は、原稿４００の出力機能対象画像４０６（出力機能対象エリア）に、「ロゴ」の画像データを付加するコマンドを実行する。当該「ロゴ」の付加が実行された印刷結果物は、図３２に示すように、画像４０５が付加されて印刷される。
【０１０６】
また、図３４に、ｆｉｌｅ名と、付加する画像データとを対応づけた対応テーブルを主記憶手段１２または補助記憶手段１３に記憶させておく。そして、実行手段１１８は、取得手段１１６が取得した、コマンド「ｄｅｓｔ：ＨＤＤ」「ｆｉｌｅ：ロゴ」を解析して、対応テーブルから「ｆｉｌｅ：ロゴ」のロゴを抽出し、出力機能エリア４２６内に付加する。
【０１０７】
この実施形態６の画像形成装置であれば、エリア（出力機能エリア４２６）内の原稿データに対して予め記憶されている画像データ４０４を付加するコマンドが含まれている。従って、ユーザにとって、更に、使い勝手の良いものとなる。
［実施形態７］
次に、実施形態７の画像形成装置について説明する。図３５に実施形態７のコマンドシート５２０の一例を示す。実施形態７のコマンドシート５２０にはエリア５２２とエリア５２４とが記述されている。原稿例については省略するが、実施形態１〜６で説明した原稿などでよい。また、エリア５２４には、コマンド「ｄｅｓｔ：ｎｅｔｗｏｋ」「ＩＰａｄｄｒｅｓｓ：１９２．１６８．１１８．１３」がテキストデータで含まれている。このコマンドは、ネットワークＩ／Ｆ手段１６（図１−１参照）が、ネットワーク経由で、ＩＰアドレスが、「１９２．１６８．１１８．１３」の外部装置５５０（図１ー１参照）に対して、原稿のエリア５２４内の画像を送信することである。この外部装置５５０とは、例えば、画像形成装置などであり、当該画像形成装置で、送信した画像データを印刷させるなどをさせることが出来る。
【０１０８】
この実施形態７であれば、原稿データのエリア内の画像データを外部装置に送信させるコマンドをエリアに含ませる。そして、当該コマンドに、送信先の外部装置の識別情報も含ませる。ここで識別情報とはＩＰアドレスやＭＡＣアドレスなどを含む。そうすることにより、ネットワークＩ／Ｆ手段１６は、当該識別情報に基づいて、外部装置にエリア内の画像データを送信することが出来る。
【０１０９】
例えば、ユーザが、エリアなの画像データについての画像をカラー印刷することを所望しているが、本画像形成装置はコマンドシートや原稿を読み取ることが出来るスキャナ手段２１を有するが、カラー印刷できる画像形成手段を具備していない場合がある。この場合には、カラー印刷できる画像形成装置に、エリア内の画像データを送信して当該画像形成装置にカラー印刷させることが出来る。
【０１１０】
また、本実施形態７の画像形成装置では、出力対象となるＬＡＮなどに接続されている他の画像形成装置を、ＳＮＭＰ(Ｓｉｍｐｌｅ  Ｎｅｔｗｏｒｋ  Ｍａｎａｇｅｍｅｎｔ  ｐｒｏｔｏｃｏｌ)などを利用して、ページ記述言語(Ｐａｇｅ  Ｄｅｓｃｒｉｐｔｉｏｎ  Ｌａｎｇｕａｇｅ:ＰＤＬ)レベルで当該孔版印刷システムと同等以上か互換性のあるものに限定している。しかしながら、それ以外の画像形成装置であっても、汎用的なフォーマットである、ＰＤＦ(Ｐｏｒｔａｂｌｅ  Ｄｏｃｕｍｅｎｔ  Ｆｏｒｍａｔ)やＰＳ(Ｐｏｓｔ  Ｓｃｒｉｐｔ)をサポートしている場合、当該出力画像データを当該フォーマットに変換することにより、印刷出力させることもできる。
［実施形態８］
次に、実施形態８の画像形成装置について説明する。実施形態８の画像形成装置では、出力手段１２０の出力先について更に詳細に説明する。実施形態７では、出力機能エリア内の原稿データの出力先を外部装置とする例を説明した。
【０１１１】
実施形態８の出力先として、（１）印刷用紙（実施形態１で説明）（２）電子ペーパ（３）外部装置（実施形態７で説明）（４）記録メディアとすることが出来る。
【０１１２】
図３６に実施形態８の設定画面の一例を示す。図３６の例は、図１１の設定画面を変更させたものであり、図１１の出力先設定箇所２０４の、印刷用紙ボタン２０７と電子ペーパボタン２０８に、送信ボタン５６０と、記録メディアボタン５６２が追加されている。つまり、図３６の例では、図４記載の出力対象画像１０４の出力先を設定できる画面である。図３６の例では、ユーザが印刷用紙ボタン２０７を押下すると、出力機能対象画像は、（１）印刷用紙（実施形態１で説明）に印刷されて出力されるように設定される。ユーザが電子ペーパボタン２０８を押下すると、出力機能対象画像は、（２）電子ペーパに出力されるように設定される。ユーザが送信ボタン５６０を押下すると、出力機能対象画像１０４は、（３）外部装置（実施形態７で説明）に出力されるように設定される。ユーザが記録メディアボタン５６２を押下すると、出力機能対象画像は、（４）記録メディアに出力されるように設定される。
＜電子ペーパボタン２０８について＞
まず、電子ペーパについて説明する。この実施形態８の電子ペーパには、例えば、画像形成装置の本体カバーに実装される電子ペーパや、ユーザが搬送可能な可搬型電子ペーパなどがある。図３７に、本体カバー６００に実装されている２枚の外装型電子ペーパー６０２、６０４の例を示す。図３７の例では、電子ペーパ６０２には原稿（図６記載のように加工対象画像１０２に加工機能が施されている原稿）が表示される。また、電子ペーパ６０４には出力機能対象画像１０４が表示される。
【０１１３】
また、図３８に、可搬型電子ペーパの例を示す。図３８の例では、２枚の電子ペーパ６０６、６０８で構成されている。図３８の例では、Ａ３サイズが表示可能で連結してＡ２サイズが表示可能な可搬型電子ペーパー２枚装備している。また、図３８に示す電子ペーパーは、簡易的なプロジェクタ代わりとしてもしくはプロジェクタを補助するスクリーンとして使われる。図３８の例では、２枚の電子ペーパ６０６、６０８には、一体的に、出力機能対象画像１０４が表示されている。
【０１１４】
また、図３８の例では、電子ペーパがペン入力可能な電子ペーパとしてもよく、表示された出力機能対象画像に加筆したり、表示されている出力機能対象画像と加筆画像を合成して電子ファイル化するようにしても良い。また、当該電子ファイルを画像形成装置１０に戻して、主記憶手段１２に戻せるようにしてもよい。
【０１１５】
ユーザは、図３７、図３８に示す出力先の電子ペーパを図３９に示す設定画面から選択することが出来る。図３９に示す設定画面は、詳細設定ボタン２０９（図３６参照）を押下することで、遷移される。図３９の例では、出力先ＥＰ（Ｅｌｅｃｔｒｏｎｉｃ  Ｐａｐｅｒ：電子ペーパ）１〜４を設定することが出来る。例えば、ユーザが出力先ＥＰ１ボタン６２０、出力先ＥＰ２ボタン６２４を押下すると、出力機能対象画像１０４は、電子ペーパ６０２、６０４に表示される。また、ユーザが出力先ＥＰ３ボタン６２６、出力先ＥＰ４ボタン６２８を押下すると、出力機能対象画像１０４は、電子ペーパ６０６、６０８に表示される。
【０１１６】
また、ＥＰ連結ボタン６３０を押下すると、さらに図示しないサブメニュー画面が開き、連結パターンなどが指定できる。これにより、図３７や図３８に示すように、Ａ３サイズが表示可能な電子ペーパー２枚を連結して、Ａ２サイズが表示可能な１枚の仮想的な電子ペーパーとみなして使用することができる。
【０１１７】
また、本実施形態８の画像形成装置では、精密指定ボタン６３２を押下することで、文書の機密性の観点から、機密指定を設定することが出来る。電子ペーパーの表示に対しては、必要に応じて機密指定ボタン６３２を押下することにより、図示しないサブメニュー画面が表示される。当該サブメニュー画面にパスワードを入力することで、図３７や図３８に示す電子ペーパーに当該パスワードを転送し、保護機能を動作させることができる。
【０１１８】
また、他のパスワード入力方法として、指定エリア中にコマンドとしてパスワードを記述することも可能である。この場合、コマンドシートにパスワードが平文で残ってしまうため、第３者に容易に目に触れやすくなり、セキュリティの観点から問題がある。そのため、このような場合、経時によって消色するような特殊インクなどを用いればよい。
【０１１９】
会議室に、図３７に示す電子ペーパ６０２、６０４が備えられた画像形成装置１０と、図３８に示す可搬型であり、スクリーン型である電子ペーパ６０６、６０８が置かれているような場合、ユーザは、画像確認用の表示と多機能出力用の表示の電子ペーパを同じスクリーン型電子ペーパー６０６、６０８に設定すれば、実際の見栄えを確認しながら会議資料やプレゼンテーション資料の生成を行うことができる。また、図３８に示す電子ペーパーがペン入力可能なタイプであれば、表示された画像に書込みが行える電子黒板がわりとしても利用可能である。
【０１２０】
また、電子ペーパは、図３に示すステップＳ１８などにおいて、機能実行後の原稿データなどをユーザに対して確認させるために用いても良い。そして、例えば、図３７に示すように、電子ペーパとして、２つの電子ペーパー６０２、６０４しか具備されていない場合がある。このような場合については、表示に優先順位をつけ、印刷用紙出力を優先的に表示させたり、複数ページにして転送し、当該電子ペーパーのページめくり機能により、各々確認できるようにしてもよい。この様な構成にすることで、画像形成装置１０が孔版印刷装置の場合には、製版・印刷のやりなおしはコストの高いマスタの消費につながるため、印刷原価を抑制することが出来る。
【０１２１】
また、本実施形態８の電子ペーパを自己発光タイプのディスプレイである有機ＥＬ(Ｅｌｅｃｔｒｏ  Ｌｕｍｉｎｅｓｃｅｎｃｅ)ディスプレイなどを用いてもよい。
【０１２２】
また、本実施形態８の電子ペーパとして、小サイズの携帯型電子ペーパーや、タブレット型ＰＣや、スレート型ＰＣなどの携帯端末を用いても良い。
＜送信ボタンについて＞
次に、送信ボタン５６０について説明する。ユーザが例えば、出力機能対象画像１０４を、画像形成装置１０にネットワーク接続されている外部装置５５０に送信を所望する場合には、ユーザは送信ボタン５６０を押下すればよい。実施形態７では、出力機能エリアに、送信先の外部装置５５０の識別情報（ＩＰアドレスやＭＡＣアドレスなど）を付加しておき、当該識別情報に基づいて、出力機能対象画像を送信する。
【０１２３】
この実施形態８では、ユーザが、識別情報入力画面（図示せず）から、ユーザが識別情報を入力し、当該入力された識別情報に基づいて、ネットワークＩ／Ｆ手段１６は、出力機能対象画像１０４を送信する。従って、ユーザは原稿内の所望の画像を所望の装置に送信することが出来る。
＜記録メディアボタンについて＞
次に、記録メディアボタン５６２について説明する。ユーザは記録メディアボタン５６２を押下することで、出力対象画像１０４を記録メディアに記憶させることが出来る。ここで、記録メディアとは、例えば、画像形成装置１０内に具備されているＨＤＤ（例えば、図１ー１記載の主記憶手段１２）や、外部記憶装置Ｉ／Ｆ手段１４に接続される外部接続されるＵＳＢメモリやＳＤカード（図１ー１の記録メディア１５に相当）などである。
【０１２４】
図４１、図４２を用いて、記録メディアへの記録手法の一例について説明する。図４１の原稿４００'は、図３０の原稿４００と比較して、画像４４０が付加されている点で異なる。また、図４２のコマンドシート４２０''は、図３１のコマンドシートと比較して、エリア４２６がエリア４２６'に代替されている点で異なる。また、印刷結果物は図３２、図３３と同一である。
【０１２５】
エリア４２６'のコマンドは、識別コードＯＰと、コマンド「ｄｅｓｔ：ＨＤＤ」「ｆｉｌｅ：ロゴ」が付加されている。当該コマンドは、エリア４２６'内の原稿４００'の画像４４０をＨＤＤのロゴファイルに出力（格納）させる。このように、例えば、原稿の画像を画像データとして、記憶メディア（例えば、ＨＤＤ）に記憶させることで、以後、識別コードＩＰを用いたコマンドシート（実施形態６で説明）により、当該記憶メディアに記憶されている画像データから抽出して印刷出力させることが出来る。
【０１２６】
図４３に、本実施形態８のステップＳ２２の出力処理について説明する。実行手段１１８は、ステップＳ４０、Ｓ４４、Ｓ４８、Ｓ５２の判断処理を直列的または並列的に行なう。
【０１２７】
実行手段１１８は、印刷用紙出力設定があるか否かを判断する（ステップＳ４０）。印刷用紙出力の設定がある場合には（ステップＳ４０のＹｅｓ）、実行手段１１８は、画像形成手段２０に、出力機能対象画像１０４を用紙に印刷させて出力させる（ステップＳ４２）。印刷用紙出力の設定がない場合には（ステップＳ４０のＮｏ）、実行手段１１８は何らの処理も行なわずに出力処理を終了させる。
【０１２８】
実行手段１１８は、電子ペーパ出力設定があるか否かを判断する（ステップＳ４４）。電子ペーパ出力の設定がある場合には（ステップＳ４４のＹｅｓ）、実行手段１１８は、出力機能対象画像１０４を電子ペーパ６０２、６０４、６０６、６０８など（図３７、図３８参照）の少なくとも１つに出力させて表示させる（ステップＳ４６）。電子ペーパ出力の設定がない場合には（ステップＳ４４のＮｏ）、実行手段１１８は何らの処理も行なわずに出力処理を終了させる。
【０１２９】
実行手段１１８は、外部装置出力設定があるか否かを判断する（ステップＳ４８）。外部装置出力の設定がある場合には（ステップＳ４８のＹｅｓ）、実行手段１１８は、ネットワークＩ／Ｆ手段１６経由で、外部装置５５０に出力する（ステップＳ５０）。外部装置出力の設定がない場合には（ステップＳ４８のＮｏ）、実行手段１１８は何らの処理も行なわずに出力処理を終了させる。
【０１３０】
実行手段１１８は、記録メディア出力設定があるか否かを判断する（ステップＳ５２）。記録メディア出力の設定がある場合には（ステップＳ５２のＹｅｓ）、実行手段１１８は、外部記憶装置Ｉ／Ｆ手段１４経由で、出力機能対象画像１０４を記録メディア１５に出力して記録させる（ステップＳ５４）。記録メディア出力の設定がない場合には（ステップＳ５２のＮｏ）、実行手段１１８は何らの処理も行なわずに出力処理を終了させる。
【０１３１】
また、上述の説明であれば、図３６記載の設定画面から、ユーザが出力先を設定していた。その他の実施形態として、出力機能エリアに、コマンドとして、出力先を付加してもよい。この構成の場合には、ユーザは設定画面から出力先を設定する必要はない。
【０１３２】
また、図４０のように、出力機能エリアを色分けして、当該出力機能エリアの色と、出力先を対応させるようにしてもよい。図４０に示す対応テーブルは、予め、図１ー１記載の主記憶手段１２に記憶されている。そして、取得手段１１６は、出力機能エリアの色などを取得し、実行手段１１８は、図４０に示す対応テーブルを参照して、当該取得された出力機能エリアに対応する出力先に出力する。
【０１３３】
例えば、取得手段１１６が、機能出力エリアの色として青色を取得すると、実行手段１１８は、当該青色に対応する外部装置に、当該出力機能エリア内の原稿データを送信する。このように、出力機能エリアに色づけを行い、図４０のような対応付けを行なうことで、ユーザは設定画面から出力先の設定を行なうことなく、原稿データを複数の出力先に送信することが出来る。
［実施形態９］
次に、実施形態９の画像形成装置について説明する。上記実施形態１〜８では、コマンドシートを読み取ることで、取得手段１１６は、エリアデータ、識別データ、コマンドデータを取得していた。この実施形態９では、コマンドシートからではなく、取得手段１１６は、主記憶手段１２に記憶されているエリアデータ、識別データ、コマンドデータを取得する。
【０１３４】
例えば、ユーザにより、同じコマンドシートが繰り返し使用される場合がある。このような場合には、何度も同じコマンドシートを読み込むことはユーザの煩雑さを増大させ、効率が悪い。従って、最初にコマンドシートを読み込んだ後に、当該読み込みの結果取得したエリアデータ、識別データ、コマンドデータを主記憶手段１２などに記憶させる。このようにするすることで、２回目以降、同じコマンドシートを用いる場合でも、ユーザによるコマンドシートの読み込み処理を省略させることができる。
【０１３５】
図４４に、実施形態９の画像形成装置の情報処理装置の機能構成例を示す。図４４の例では、図２と比較して、呼び出し手段１２４、記憶制御手段１２６、作成手段１２８が追加されている点で図２と異なる。また、図４５に実施形態９の出力機能の設定画面の一例を示す。図４５は図１１と比較すると、コマンドシート設定箇所７０１が追加されている点で異なる。
【０１３６】
まず、コマンドシート設定箇所７０１の登録ボタン７０２について説明する。ユーザにより、同一のコマンドシートが複数回用いられることが明らか場合には、ユーザは登録ボタン７０２を押下することで、当該同一のコマンドシートから取得されるエリアデータ、識別データ、コマンドデータ（以下、「コマンドシートデータ」という。）を主記憶手段１２に記憶させることが出来る。
【０１３７】
具体的には、ユーザは、登録ボタン７０２を押下した後に、図４６に示す設定画面に遷移する。図４６の例では、データ保管場所設定箇所７０５、出力ファイル名設定箇所７０６、保存形式設定箇所７０７、登録するデータ設定箇所７０８、データ取り込み設定箇所７０９、が設けられている。
【０１３８】
データ保管場所設定箇所７０５でコマンドシートデータを保管する場所を設定することが出来る。図４６の例では、コマンドシートデータが保管される場所は、ＵＳＢメモリ（例えば、図１ー１記載の記録メディア１５に相当）であると設定されている。出力ファイル名設定箇所７０６では、出力ファイル名を設定することが出来る。図４６の例では、出力ファイル名は、「新製品構想案」であると設定されている。保存形式設定箇所７０７では、コマンドシートデータの保存形式を設定できる。図４６の例では、コマンドシートデータの保存形式は、ＸＭＮ形式であると設定されている。
【０１３９】
登録するデータ設定箇所７０７では、「全ての設定」または「シート設定のみ」をユーザは選択できる。全ての設定とは、コマンドシートに記述されているコマンドシートデータのみではなく、画像形成装置１０に設定されているデフォルトのデータも含まれた、コマンドシートデータが記憶される。
【０１４０】
また、データ取り込み設定箇所７０９では、コマンドシートデータを取り込むタイミングを設定することが出来る。図４６の例では、例えば、印刷ジョブなどのジョブ実行時や、コマンドシートを読み込ませた直後である即時スキャンや、オンメモリなどを選択することが出来る。
【０１４１】
ユーザにより図４６の例に示す設定が行なわれた場合には、記憶制御手段１２６は、当該設定に基づいて、コマンドシートから取得したコマンドシートデータを主記憶手段１２などに記憶させる。
【０１４２】
次に、呼び出しボタン（図４５参照）について説明する。この呼び出し処理は、記憶制御手段１２６により、取得されたコマンドシートデータを祝記憶手段１２に記憶されたコマンドシートデータを呼び出す処理である。ユーザは呼び出しボタン７０４を押下することで、図４７記載の設定画面に遷移する。
【０１４３】
図４７の例では、呼び出し手段１２４により、出力ファイル名「新製品構想案」について、コマンドシートデータ呼び出し場所は「ＵＳＢメモリ」から、呼び出されることが設定されている。更に、過去に記憶されたファイル名と、保存月日が対応付けた記憶されている。
【０１４４】
次に、記憶されたコマンドシートデータに基づいて、紙媒体などに印刷を行い、コマンドシートを作成する処理について説明する。ユーザは、コマンドシートを作成する場合には、図４５に示す作成ボタン７０６（図４５参照）を押下することで、コマンドシートを作成することが出来る。このコマンドシート作成処理により、画像形成装置１０に設定されているデフォルトのデータも反映させたコマンドシートを作成することが出来る。
【０１４５】
このようなコマンドシートデータの登録または呼び出しにより、ユーザに対して省力化を図ることができる。更に、複数回、紙媒体のコマンドシートを読み込ませると、スキャナ手段２１の状態や設定条件などにより、バラツキや揺動が生じ、結果として、コマンドシートに記述された、コマンド、識別コード、エリアの誤認識が生じる可能性がある。従って、保証されているイメージデータを保存・再利用することで、このような不具合を排除できる。
【０１４６】
さらに、コマンドシートデータの記憶形式をイメージデータではなく、パラメータ化したデータで記憶させることが好ましい。ここで、パラメータとは、エリアの座標値の集合、エリアのサイズ値、エリアのマーカ色または、マーカ色コード、解析・コード化されたコマンド、識別コードなどである。このように、コマンドシートデータをパラメータで記憶させることで、イメージデータからの解析処理を省略できるので、さらに高速化できる。特に、当該保存形式がＸＭＬのようなテキストファイルであれば、表示手段１８に表示される設定画面などで編集可能であるため、誤認識部分を修正したり、データに変更を加えて転用できるなど、さらに柔軟で高度な利用が可能となる。
【０１４７】
更に、コマンドシートデータを可搬型の記憶装置（例えば、ＵＳＢメモリ）に格納することにより、異なる画像形成装置に汎用的にコマンドシートデータを用いることが出来る。
【０１４８】
この実施形態９の画像形成装置によれば、コマンドシートデータを用いることで、コマンドシートの読み取り処理などを省略することが出来、ユーザにとってさらに使い勝手の良いものとなる。
［実施形態１０］
次に、実施形態１０の画像形成装置について説明する。図４８に実施形態１０の画像形成装置の搬送体（例えば、搬送ベルト）の一例を示す。図４８の例では、スキャナ手段によりスキャンされる方向を主走査方向とし、原稿やコマンドシートが搬送される方向を副走査方向とする。
【０１４９】
また、スキャナ手段２１０は、スキャナ手段２１０が、読み取ることが可能な領域である読取り可能領域２１０ａを有する。読取り可能領域２１０ａ内に、白色の基準となる白色基準板２１０ｂと、原稿やコマンドシートを読み取ることが可能である原読読取り領域２１０ｃと、黒色と白色を参照できる黒白参照領域２１０ｄが含まれる。更に、スキャナ手段２１０には、ＰＮマーカ領域２１０ｅも含まれる。
【０１５０】
スキャナ手段２１がスキャナ処理時に、ＰＮマーカ領域２１０ｅに記述されるＰＮマーカ２１０ｆを読取ることで、スキャナ手段２１の走査制御や、用紙やコマンドシート送り制御を行なうことができる。ＰＮマーカを用いた原理の詳細については、特開２０１１−０４２０５８号などに記載されている。
【０１５１】
従来は、ホームポジションを基準にしたスキャナ手段２１の走査制御や、用紙やコマンドシート送り制御を行なっていた。当該原理をスキャナ手段２１に応用することにより、スキャナ手段２１の走査制御や、用紙やコマンドシート送り制御の自由度が増すため、エリア（加工機能エリアや出力機能エリア）内のみの画像の再読み取りを迅速に行なうことができる。
［実施形態１１］
次に、実施形態１１について説明する。上記実施形態１１では、情報処理装置を画像形成装置に統合させた実施形態について説明した。本実施形態１１では、情報処理装置と画像形成装置とを分離した実施形態について説明する。図４９に、本実施形態１１の画像形成システム８５０の一例について示す。
【０１５２】
図４９の例では、画像形成装置８００と情報処理装置１１とスキャナ手段２１と設定手段２３とがそれぞれ分離されている画像形成システム８５０である。ユーザは、スキャナ手段２１に、原稿やコマンドシートの読み取りを行なわせる。また、ユーザは設定手段２３から、図８記載の設定画面から実施形態１〜１０で説明した設定を行なう。スキャナ手段２１で取得したコマンドシートデータや原稿データ、および、設定手段２３から設定手段２３から設定された設定情報は、情報処理装置１１に入力される。そして、情報処理装置１１は、入力された原稿データに対して、コマンドシートや設定情報に基づいて、加工機能や出力機能を実行する。情報処理装置１１は、加工機能や出力機能が実行された原稿データを画像形成装置８００に対して送信する。そして、画像形成装置８００は、加工機能や出力機能が実行された原稿データについて、用紙に印刷をして出力したり、電子ペーパなどの出力を行なう。
【０１５３】
この実施形態１１によれば、画像形成装置８００の負荷を分散することが出来る。
【符号の説明】
【０１５４】
１１        情報処理装置
１２        主記憶手段
１３        補助記憶手段
１４        外部記憶装置Ｉ／Ｆ手段
１５        記録メディア
１６        ネットワークＩ／Ｆ手段
１７        操作手段
１８        表示手段
１９        エンジン手段
２０        画像形成手段
２１        スキャナ手段
１１２      判定手段
１１４      読取手段
１１６      取得手段
１１８      実行手段
１２０      出力手段
１２２        表示制御手段
【先行技術文献】
【特許文献】
【０１５５】
【特許文献１】特開平５−２５４２３７号公報
【図１−１】
2013038575.tif 000003
【図１−２】
2013038575.tif 000004
【図１−３】
2013038575.tif 000005
【図２】
2013038575.tif 000006
【図３】
2013038575.tif 000007
【図４】
2013038575.tif 000008
【図５】
2013038575.tif 000009
【図６】
2013038575.tif 000010
【図７】
2013038575.tif 000011
【図８】
2013038575.tif 000012
【図９】
2013038575.tif 000013
【図１０】
2013038575.tif 000014
【図１１】
2013038575.tif 000015
【図１２】
2013038575.tif 000016
【図１３】
2013038575.tif 000017
【図１４】
2013038575.tif 000018
【図１５】
2013038575.tif 000019
【図１６】
2013038575.tif 000020
【図１７】
2013038575.tif 000021
【図１８】
2013038575.tif 000022
【図１９】
2013038575.tif 000023
【図２０】
2013038575.tif 000024
【図２１】
2013038575.tif 000025
【図２２】
2013038575.tif 000026
【図２３】
2013038575.tif 000027
【図２４】
2013038575.tif 000028
【図２５】
2013038575.tif 000029
【図２６】
2013038575.tif 000030
【図２７】
2013038575.tif 000031
【図２８】
2013038575.tif 000032
【図２９】
2013038575.tif 000033
【図３０】
2013038575.tif 000034
【図３１】
2013038575.tif 000035
【図３２】
2013038575.tif 000036
【図３３】
2013038575.tif 000037
【図３４】
2013038575.tif 000038
【図３５】
2013038575.tif 000039
【図３６】
2013038575.tif 000040
【図３７】
2013038575.tif 000041
【図３８】
2013038575.tif 000042
【図３９】
2013038575.tif 000043
【図４０】
2013038575.tif 000044
【図４１】
2013038575.tif 000045
【図４２】
2013038575.tif 000046
【図４３】
2013038575.tif 000047
【図４４】
2013038575.tif 000048
【図４５】
2013038575.tif 000049
【図４６】
2013038575.tif 000050
【図４７】
2013038575.tif 000051
【図４８】
2013038575.tif 000052
【図４９】
2013038575.tif 000053